(57)【要約】【課題】  組み付けの精度及び作業性を向上してなる押しボタン式スイッチを得ること。【解決手段】  基板２００と、基板に配置された操作子３００とを備え、操作子を基板に向かって押すことにより、基板に設けられた接点Ａと操作子に設けられた移動接点Ｂとが接触するものであり、操作子は、その底面に移動接点が設けられた棒状部３１１と、当該操作子を支える基端部３２０と、棒状部と基端部とを連結する可撓部３３１とを備えた押しボタン式スイッチにおいて、棒状部を挿通するとともに基端部と嵌合するガイド部材４００を設けた。【選択図】図５
2006210220.tif 000002
【特許請求の範囲】
【請求項１】
基板と、前記基板に配置された操作子とを備え、前記操作子を前記基板に向かって押すことにより、前記基板に設けられた接点と前記操作子に設けられた移動接点とが接触するものであり、
前記操作子は、その底面に前記移動接点が設けられた棒状部と、当該操作子を支える基端部と、前記棒状部と前記基端部とを連結する可撓部とを備えた押しボタン式スイッチにおいて、
前記棒状部を挿通するとともに、前記基端部と嵌合するガイド部材を設けたことを特徴とする押しボタン式スイッチ。
【請求項２】
前記ガイド部材には凸部を設けるとともに、前記基端部には前記ガイド部材の凸部を挿入する孔部を設けたことを特徴とする請求項１記載の押しボタン式スイッチ。
【請求項３】
前記基板には、前記ガイド部材の凸部を挿入する孔部を設けたことを特徴とする請求項２記載の押しボタン式スイッチ。
【請求項４】
前記基端部には凸部を設けるとともに、前記ガイド部材には前記基端部の凸部を挿入する孔部を設けたことを特徴とする請求項１乃至３のいずれか記載の押しボタン式スイッチ。
【請求項５】
前記基端部の凸部は、前記ガイド部材の孔部から延出する長さとし、その延出した部分の傾きにて前記基端部と前記ガイド部材との嵌合状態が判別可能となるようにしたことを特徴とする請求項４記載の押しボタン式スイッチ。
【発明の詳細な説明】
【技術分野】
【０００１】
本発明は、基板と、基板に配置された操作子とを備えた押しボタン式スイッチに関する。
【背景技術】
【０００２】
一般に、基板に配置された操作子を基板に向かって押すことにより、基板に設けられた接点と操作子に設けられた移動接点とが接触する構成の押しボタン式スイッチが知られている。操作子は、その底面に移動接点が設けられた棒状部と、当該操作子を支える基端部と、棒状部と基端部とを連結する可撓部とを備え、棒状部が押されると可撓部が弾性変形し、押さえる力を解除すると可撓部の弾性力にて最初の状態に復帰する構成となっている。この種の押しボタン式スイッチは、特許文献１及び２にも開示されている。
【特許文献１】実開昭５８−１８０４９５号公報
【特許文献２】特開２００３−１３２７６２号公報
【発明の開示】
【発明が解決しようとする課題】
【０００３】
さて、前述した押しボタン式スイッチについては、基板と操作子とを正確に組み付けて、基板の接点と操作子の移動接点との離合を良好に維持する必要がある。この点、操作子は、全体がゴム製の部材を用いるのが一般的であり、微妙な位置ずれを生じる場合が顕著であった。例えば、特許文献１に記載されているように、操作子に凸部を設け、基板にその凸部を挿入する孔部を設けた場合は、凸部がゴム製であることから、安定した位置決め及び嵌合状態が得られないという不都合がある。また、特許文献２に記載されているように、所定のカバーにて操作子を基板に押さえ込む場合は、基板、操作子、及びカバーを同時に位置決めして組み付けることになるため、組み付けの作業性が悪いという不都合がある。本発明は、かかる事情に鑑みてなされたものであり、その目的は、組み付けの精度及び作業性を向上してなる押しボタン式スイッチを得ることである。
【課題を解決するための手段】
【０００４】
本願第１請求項に記載した発明は、基板と、前記基板に配置された操作子とを備え、前記操作子を前記基板に向かって押すことにより、前記基板に設けられた接点と前記操作子に設けられた移動接点とが接触するものであり、前記操作子は、その底面に前記移動接点が設けられた棒状部と、当該操作子を支える基端部と、前記棒状部と前記基端部とを連結する可撓部とを備えた押しボタン式スイッチにおいて、前記棒状部を挿通するとともに、前記基端部と嵌合するガイド部材を設けた構成の押しボタン式スイッチである。
【０００５】
本願第２請求項に記載した発明は、請求項１において、前記ガイド部材には凸部を設けるとともに、前記基端部には前記ガイド部材の凸部を挿入する孔部を設けた構成の押しボタン式スイッチである。
【０００６】
本願第３請求項に記載した発明は、請求項２において、前記基板には、前記ガイド部材の凸部を挿入する孔部を設けた構成の押しボタン式スイッチである。
【０００７】
本願第４請求項に記載した発明は、請求項１乃至３のいずれかにおいて、前記基端部には凸部を設けるとともに、前記ガイド部材には前記基端部の凸部を挿入する孔部を設けた構成の押しボタン式スイッチである。
【０００８】
本願第５請求項に記載した発明は、請求項４において、前記基端部の凸部は、前記ガイド部材の孔部から延出する長さとし、その延出した部分の傾きにて前記基端部と前記ガイド部材との嵌合状態が判別可能となるようにした構成の押しボタン式スイッチである。
【発明の効果】
【０００９】
本発明によれば、組み付けの精度及び作業性を向上してなる押しボタン式スイッチを得ることができる。
【発明を実施するための最良の形態】
【００１０】
以下に、本発明の実施例を図面に基づいて説明する。本例の押しボタン式スイッチ１００は、図１乃至図４に示す電波修正式目覚し時計１の背部に設けられたものである。スイッチとしての機能は、特に限定はしないが、本例では電波の受信又はその制御に係る操作を行うものとなっている。この押しボタン式スイッチ１００は、基板２００、操作子３００、及びガイド部材４００を設けてなるものであり、時計１の内部に設けられた所定の形状の支持体１１に、電波受信用のアンテナ１２とともに固定されている。時計１の裏蓋１０からは、後述する第１棒状部３１１の先端、及び第２棒状部３１２の先端が露呈している。尚、図例した第１棒状部３１１は、裏蓋１０を貫通する高さとなっており、第２棒状部３１２は、裏蓋１０の内側に留まる高さとなっている。これは、スイッチの機能に対する操作上の便宜を考慮した構成である。
【００１１】
図５乃至図８に示すように、押しボタン式スイッチ１００は、ボルト１３を用いて支持体１１にアンテナ１２及び基板２００を固定し、更に、ガイド部材４００に操作子３００を装着し、ボルト１３を用いて支持体１１にそのガイド部材４００を固定して組み付けられる。支持体１１、アンテナ１２、基板２００、及びガイド部材４００の要所には、ボルト１３を挿通する通孔及びボルト１３を螺合する雌ねじ部がそれぞれ設けられている。
【００１２】
操作子３００は、インジェクト成形された全体がゴム製の部材であり、その底面に移動接点Ｂが設けられた第１棒状部３１１及び第２棒状部３１２と、当該操作子を支える基端部３２０と、各棒状部３１１，３１２と基端部３２０とをそれぞれ連結する第１可撓部３３１及び第２可撓部３３２とを備えている。押しボタン式スイッチ１００は、各棒状部３１１，３１２を基板２００に向かって押すことにより、基板２００の要所にプリントされた接点Ａと、第１棒状部３１１の底面及び第２棒状部３１２の底面に設けられた移動接点Ｂとがそれぞれ接触する構成となっている。各可撓部３３１，３３２は、各棒状部３１１，３１２が押されるとそれぞれ弾性変形し、各棒状部３１１，３１２及び各可撓部３３１，３３２は、押さえる力を解除すると各可撓部３３１，３３２の弾性力にて最初の状態に復帰する。
【００１３】
ガイド部材４００は、操作子３００の各棒状部３１１，３１２を挿通するとともに、操作子３００の基端部３２０と嵌合する部材である。ガイド部材４００には、第１棒状部３１１及び第２棒状部３１２をそれぞれ挿通する第１ガイド孔４１１及び第２ガイド孔４１２が設けられている。
【００１４】
また、ガイド部材４００には、基板２００に向かって突出する凸部４２０を設けるとともに、操作子３００の基端部３２０及び基板２００には、このガイド部材４００の凸部４２０を挿入する孔部３４０，２１０をそれぞれ設けている。
【００１５】
更に、操作子３００の基端部３２０には、基板２００とは反対の方向に向かって突出する凸部３５０を設けるとともに、ガイド部材４００には、基端部３２０の凸部３５０を挿入する孔部４３０を設けている。
【００１６】
すなわち、操作子３００の基端部３２０とガイド部材４００とは、ガイド部材４００の凸部４２０を基端部３２０の孔部３４０に挿入するとともに、基端部３２０の凸部３５０をガイド部材４００の孔部４３０に挿入することにより、互いに嵌合する構成となっている。そして、基板２００と操作子３００とは、基端部３２０の孔部３４０から延出したガイド部材４００の凸部４２０の先端部を更に基板２００の孔部２１０に挿入して組み付けられる。このような構成によると、基板２００に対する操作子３００の組み付け精度を確実に向上することができる。また、操作子３００は、ガイド部材４００と嵌合させてから組み付けることができるので、その組み付け作業が容易となる利点もある。
【００１７】
尚、本例の場合、基端部３２０の凸部３５０は、ガイド部材４００の孔部４３０からある程度延出する長さとし、その延出した部分の傾きにて基端部３２０とガイド部材４００との嵌合状態が判別可能となっている。すなわち、嵌合が正確になされていれば、凸部３５０の先端部の向きは孔部４３０に対する挿入方向と一致するが、嵌合が不正確になされていると、凸部３５０の先端部の向きがずれることとなる。嵌合状態は、凸部３５０を引っ張るなどして矯正することも可能である。
【００１８】
以上説明したように、本例の押しボタン式スイッチは、操作子と嵌合するガイド部材を設けたことによって、組み付けの精度及び作業性を向上してなるものであり、目覚し時計のスイッチとして好適に利用することができる。尚、本例における各部の構成は、特許請求の範囲に記載した技術的範囲において適宜に設計変更が可能であり、図例説明したものに限定されないことは勿論である。
【産業上の利用可能性】
【００１９】
本発明の押しボタン式スイッチは、目覚し時計をはじめ、各種製品に設けられるスイッチとして好適に利用することが可能である。
【図面の簡単な説明】
【００２０】
【図１】本発明の実施例に係り、目覚し時計を示す正面図である。
【図２】本発明の実施例に係り、目覚し時計を示す背面図である。
【図３】本発明の実施例に係り、目覚し時計の内部を示す背面図である。
【図４】本発明の実施例に係り、目覚し時計の内部を示す側面断面図であり、図３のＸ−Ｘ断面図である。
【図５】本発明の実施例に係り、押しボタン式スイッチを示す側面断面図である。
【図６】本発明の実施例に係り、押しボタン式スイッチを示す側面断面図の分解図である。
【図７】本発明の実施例に係り、操作子を示す説明図であり、（ａ）はその正面図、（ｂ）は側面図、（ｃ）は背面図、（ｄ）は上面図、（ｅ）は下面図である。
【図８】本発明の実施例に係り、ガイド部材を示す説明図であり、（ａ）はその正面図、（ｂ）はガイド孔中心を通る縦断面図、（ｃ）は背面図、（ｄ）は孔部中心を通る横断面図、（ｅ）は下面図である。
【符号の説明】
【００２１】
１    目覚し時計
１０    裏蓋
１１    支持体
１２  アンテナ
１３    ボルト
１００    押しボタン式スイッチ
２００    基板
２１０    孔部
３００    操作子
３１１    第１棒状部
３１２    第２棒状部
３２０    基端部
３３１    第１可撓部
３３２    第２可撓部
３４０    孔部
３５０    凸部
４００    ガイド部材
４１１    第１ガイド孔
４１２    第２ガイド孔
４２０    凸部
４３０    孔部
Ａ    接点
Ｂ    移動接点
【図１】
2006210220.tif 000003
【図２】
2006210220.tif 000004
【図３】
2006210220.tif 000005
【図４】
2006210220.tif 000006
【図５】
2006210220.tif 000007
【図６】
2006210220.tif 000008
【図７】
2006210220.tif 000009
【図８】
2006210220.tif 000010